(57)【要約】【課題】枠体の前面側及び後面側の何れからでも遊技盤の着脱が可能な遊技機の提供を目的とする。【解決手段】枠体Ｆ２に形成された遊技盤の収納部２０１は、枠体の前面と後面間を貫通して遊技盤３の側部外縁より大きく形成された開口部２０３を有し、前記開口部から前記遊技盤を前記枠体内に挿入することにより前記遊技盤３が前記収納部２０１に収納状態となると共に、前記枠体Ｆ２又は前記遊技盤３の複数位置に取り付けられた遊技盤固定部材２１０は、前記遊技盤３が前記収納状態となった時に前記遊技盤３の前記枠体Ｆ２の前面方向及び後面方向への移動を規制する固定状態と、前記枠体Ｆ２の前面方向または後面方向への前記遊技盤の移動規制を解除する固定解除状態とに可動操作可能な構成とした。【選択図】      図３
2006095126.tif 000002
【特許請求の範囲】
【請求項１】
遊技球の流下可能な遊技領域が前面に設けられた遊技盤と、
前記遊技盤の収納部を内部に有する枠体と、
前記枠体又は前記遊技盤の複数位置に取り付けられた遊技盤固定部材と、
を備えた遊技機において、
前記収納部は、前記枠体の前面と後面間を貫通して前記遊技盤の側部外縁より大きく形成された開口部を有し、
前記開口部から前記遊技盤を前記枠体内に挿入することにより前記遊技盤が前記収納部に収納状態となると共に、
前記遊技盤固定部材は、前記遊技盤が前記収納状態となった時に前記遊技盤の前記枠体の前面方向及び後面方向への移動を規制する固定状態と、
前記枠体の前面方向または後面方向への前記遊技盤の移動規制を解除する固定解除状態と、
に可動操作可能であることを特徴とする遊技機。
【請求項２】
前記遊技盤固定部材は、前記開口部から前記遊技盤を前記枠体内に挿入可能な挿入可能状態と、前記遊技盤を前記枠体内に挿入不可能な挿入禁止状態とを形成することが可能であり、前記開口部の前面側と後面側の何れか任意の側を前記挿入可能状態とすることが可能なことを特徴とする請求項１に記載の遊技機。
【請求項３】
前記複数の遊技盤固定部材を前記遊技盤の挿入方向にあわせて前記挿入可能状態にして前記遊技盤を前記収納部に収納した後、前記複数の遊技盤固定部材のうち一部の遊技盤固定部材について前記挿入禁止状態を形成することで前記遊技盤を固定状態にすることを特徴とする請求項１または２に記載の遊技機。
【請求項４】
前記遊技盤または前記枠体の何れか一方に前記遊技盤固定部材が設けられ、前記遊技盤または前記枠体のうち他方の側部には、前記収納部への前記遊技盤の収納状態時に前記遊技盤固定部材が挿入される遊技盤固定部材挿入凹部が設けられ、
前記遊技盤固定部材は、係止部と誘導部とを少なくとも備えると共に、常には前記係止部と前記誘導部とが前記遊技盤または前記枠体のうち前記遊技盤固定部材が設けられている前記一方から突出するように付勢され、前記係止部は、前記遊技盤固定部材挿入凹部に挿入された時に前記遊技盤の移動を規制可能であって、前記誘導部は、前記遊技盤または前記枠体のうち遊技盤固定部材挿入凹部が設けられている前記他方で押されることにより前記係止部を前記遊技盤固定部材が設けられている前記一方側へ後退させることを特徴とする請求項１から３の何れか一項に記載の遊技機。
【請求項５】
前記挿入可能状態は、前記複数の遊技盤固定部材における全ての誘導部が遊技盤挿入側に位置し、かつ前記係止部が前記誘導部とは反対側に位置することを特徴とする請求項４に記載の遊技機。
【請求項６】
前記挿入禁止状態は、前記遊技盤固定部材の誘導部と係止部が前記挿入可能状態とは反対側に位置することを特徴とする請求項４または５に記載の遊技機。
【請求項７】
前記固定状態は、前記複数の遊技盤固定部材のうち前記遊技盤または前記開口部の略対角位置に位置する１組の前記遊技盤固定部材の誘導部と係止部が前記挿入禁止状態に位置し、前記複数の遊技盤固定部材における他の前記遊技盤固定部材のうち少なくとも前記遊技盤または前記開口部の略対角位置に位置する他の１組の前記遊技盤固定部材の誘導部と係止部が前記挿入可能状態に位置することを特徴とする請求項４から６の何れか一項に記載の遊技機。
【請求項８】
前記複数の遊技盤固定部材をそれぞれ操作可能な操作部を前記枠体に備え、
前記操作部は、前記枠体の前面側と後面側の両側から操作可能なことを特徴とする請求項１から７の何れか一項に記載の遊技機。
【請求項９】
前記誘導部と前記係止部を前記挿入可能状態と前記挿入禁止状態とに回動可能とする回動部を前記遊技盤固定部材に設けたことを特徴とする請求項４から８の何れか一項に記載の遊技機。
【請求項１０】
前記遊技盤固定部材は、前記係止部を前記誘導部の一端部から他端部へ移動する移動機構を備え、
前記係止部の移動により前記挿入可能状態と前記挿入禁止状態とに変化可能であることを特徴とする請求項４から８の何れか一項に記載の遊技機。
【発明の詳細な説明】
【技術分野】
【０００１】
本発明は、遊技盤を枠体の前面側及び後面側の何れからでも着脱自在に取り付けるようにした遊技機に関する。
【背景技術】
【０００２】
従来、遊技盤を枠体内に挿入して固定する際に、枠体の後面側から枠体内に挿入して固定するものがある。
【０００３】
ところで、遊技機の作業状況や枠体に取り付けられる装置等によっては、遊技盤の着脱作業を枠体の前面側から行った方がよい場合や後面側から行った方がよい場合がある。
【０００４】
しかし、従来の遊技機にあっては、遊技盤の着脱作業を常に枠体の後面側から行わねばならず、作業性が良好とは言い難かった。
【特許文献１】特開平８−２４３２３１号公報
【発明の開示】
【発明が解決しようとする課題】
【０００５】
本発明は、前記の点に鑑みなされたものであって、枠体の前面側及び後面側の何れか任意の側から遊技盤の着脱が可能な遊技機の提供を目的とする。
【課題を解決するための手段】
【０００６】
請求項１の発明は、遊技球の流下可能な遊技領域が前面に設けられた遊技盤と、前記遊技盤の収納部を内部に有する枠体と、前記枠体又は前記遊技盤の複数位置に取り付けられた遊技盤固定部材と、を備えた遊技機において、前記収納部は、前記枠体の前面と後面間を貫通して前記遊技盤の側部外縁より大きく形成された開口部を有し、前記開口部から前記遊技盤を前記枠体内に挿入することにより前記遊技盤が前記収納部に収納状態となると共に、前記遊技盤固定部材は、前記遊技盤が前記収納状態となった時に前記遊技盤の前記枠体の前面方向及び後面方向への移動を規制する固定状態と、前記枠体の前面方向または後面方向への前記遊技盤の移動規制を解除する固定解除状態と、に可動操作可能であることを特徴とする。
【０００７】
請求項２の発明は、請求項１において、前記遊技盤固定部材が、前記開口部から前記遊技盤を前記枠体内に挿入可能な挿入可能状態と、前記遊技盤を前記枠体内に挿入不可能な挿入禁止状態とを形成することが可能であり、前記開口部の前面側と後面側の何れか任意の側を前記挿入可能状態とすることが可能なことを特徴とする。
【０００８】
請求項３の発明は、請求項１または２において、前記複数の遊技盤固定部材を前記遊技盤の挿入方向にあわせて前記挿入可能状態にして前記遊技盤を前記収納部に収納した後、前記複数の遊技盤固定部材のうち一部の遊技盤固定部材について前記挿入禁止状態を形成することで前記遊技盤を固定状態にすることを特徴とする。
【０００９】
請求項４の発明は、請求項１から３の何れか一項において、前記遊技盤または前記枠体の何れか一方に前記遊技盤固定部材が設けられ、前記遊技盤または前記枠体のうち他方の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記遊技盤または前記枠体のうち前記遊技盤固定部材が設けられている前記一方から突出するように付勢され、前記係止部は、前記遊技盤固定部材挿入凹部に挿入された時に前記遊技盤の移動を規制可能であって、前記誘導部は、前記遊技盤または前記枠体のうち遊技盤固定部材挿入凹部が設けられている前記他方で押されることにより前記係止部を前記遊技盤固定部材が設けられている前記一方側へ後退させることを特徴とする。
【００１０】
請求項５の発明は、請求項４において、前記挿入可能状態は、前記複数の遊技盤固定部材における全ての誘導部が遊技盤挿入側に位置し、かつ前記係止部が前記誘導部とは反対側に位置することを特徴とする。
【００１１】
請求項６の発明は、請求項４または５において、前記挿入禁止状態は、前記遊技盤固定部材の誘導部と係止部が前記挿入可能状態とは反対側に位置することを特徴とする。
【００１２】
請求項７の発明は、請求項４から６の何れか一項において、前記固定状態は、前記複数の遊技盤固定部材のうち前記遊技盤または前記開口部の略対角位置に位置する１組の前記遊技盤固定部材の誘導部と係止部が前記挿入禁止状態に位置し、前記複数の遊技盤固定部材における他の前記遊技盤固定部材のうち少なくとも前記遊技盤または前記開口部の略対角位置に位置する他の１組の前記遊技盤固定部材の誘導部と係止部が前記挿入可能状態に位置することを特徴とする。
【００１３】
請求項８の発明は、請求項１から７の何れか一項において、前記複数の遊技盤固定部材をそれぞれ操作可能な操作部を前記枠体に備え、前記操作部は、前記枠体の前面側と後面側の両側から操作可能なことを特徴とする。
【００１４】
請求項９の発明は、請求項４から８の何れか一項において、前記誘導部と前記係止部を前記挿入可能状態と前記挿入禁止状態とに回動可能とする回動部を前記遊技盤固定部材に設けたことを特徴とする。
【００１５】
請求項１０の発明は、請求項４から８の何れか一項において、前記遊技盤固定部材は、前記係止部を前記誘導部の一端部から他端部へ移動する移動機構を備え、前記係止部の移動により前記挿入可能状態と前記挿入禁止状態とに変化可能であることを特徴とする。
【発明の効果】
【００１６】
請求項１の発明によれば、前記遊技盤の収納部を内部に有する枠体と、前記枠体又は前記遊技盤の複数位置に取り付けられた遊技盤固定部材と、を備えた遊技機において、前記収納部は、前記枠体の前面と後面間を貫通して前記遊技盤の側部外縁より大きく形成された開口部を有し、前記開口部から前記遊技盤を前記枠体内に挿入することにより前記遊技盤が前記収納部に収納状態となると共に、前記遊技盤固定部材は、前記遊技盤が前記収納状態となった時に前記遊技盤の前記枠体の前面方向及び後面方向への移動を規制する固定状態と、前記枠体の前面方向または後面方向への前記遊技盤の移動規制を解除する固定解除状態と、に可動操作可能である構成としたことにより、枠体の前面側及び後面側の何れからでも遊技盤の着脱作業が行えるため、作業性が良好となる。
【００１７】
請求項２の発明によれば、前記遊技盤固定部材は、前記開口部から前記遊技盤を前記枠体内に挿入可能な挿入可能状態と、前記遊技盤を前記枠体内に挿入不可能な挿入禁止状態とを形成することが可能であり、前記開口部の前面側と後面側の何れか任意の側を前記挿入可能状態とすることが可能なこととしたことにより、予め遊技盤の固定部材を遊技盤の挿入側のみを挿入可能状態とし、反対側を挿入禁止状態としておくことで、遊技盤を枠体に挿入する際に、枠体の誤った側から挿入するのを防止することが可能となる。
【００１８】
請求項３の発明によれば、前記複数の遊技盤固定部材を前記遊技盤の挿入方向にあわせて前記挿入可能状態にして前記遊技盤を前記収納部に収納した後、前記複数の遊技盤固定部材のうち一部の遊技盤固定部材について前記挿入禁止状態を形成することで前記遊技盤を固定状態にすることとしたことにより、遊技盤の固定作業を容易にすることが可能となる。
【００１９】
請求項４の発明によれば、前記遊技盤または前記枠体の何れか一方に前記遊技盤固定部材が設けられ、前記遊技盤または前記枠体のうち他方の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記遊技盤または前記枠体のうち前記遊技盤固定部材が設けられている前記一方から突出するように付勢され、前記係止部は、前記遊技盤固定部材挿入凹部に挿入された時に前記遊技盤の移動を規制可能であって、前記誘導部は、前記遊技盤または前記枠体のうち遊技盤固定部材挿入凹部が設けられている前記他方で押されることにより前記係止部を前記遊技盤固定部材が設けられている前記一方側へ後退させることとしたことにより、遊技盤を容易に枠体の収納部へ挿入すること及び収納部から外すことが可能となる。
【００２０】
請求項５の発明によれば、前記挿入可能状態は、前記複数の遊技盤固定部材における全ての誘導部が遊技盤挿入側に位置し、かつ前記係止部が前記誘導部とは反対側に位置することとしたことにより、遊技盤をスムーズに枠体の収納部へ誘導することが可能となる。
【００２１】
請求項６の発明によれば、前記挿入禁止状態は、前記遊技盤固定部材の誘導部と係止部が前記挿入可能状態とは反対側に位置することとしたことにより、意図しない方向から遊技盤が枠体の収納部へ挿入されるのを防ぐことが可能となる。
【００２２】
請求項７の発明によれば、前記固定状態は、前記複数の遊技盤固定部材のうち前記遊技盤または前記開口部の略対角位置に位置する１組の前記遊技盤固定部材の誘導部と係止部が前記挿入禁止状態に位置し、前記複数の遊技盤固定部材における他の前記遊技盤固定部材のうち少なくとも前記遊技盤または前記開口部の略対角位置に位置する他の１組の前記遊技盤固定部材の誘導部と係止部が前記挿入可能状態に位置することとしたことにより、遊技盤を強固に枠体の収納部に強固に固定することが可能となる。
【００２３】
請求項８の発明によれば、前記複数の遊技盤固定部材をそれぞれ操作可能な操作部を前記枠体に備え、前記操作部は、前記枠体の前面側と後面側の両側から操作可能なこととしたことにより、遊技盤の固定操作を遊技盤の挿入側から行うことが可能となり、作業性が向上する。
【００２４】
請求項９の発明によれば、前記誘導部と前記係止部を前記挿入可能状態と前記挿入禁止状態とに回動可能とする回動部を前記遊技盤固定部材に設けたことにより、遊技盤の着脱作業を容易に行うことが可能となる。
【００２５】
請求項１０の発明によれば、前記遊技盤固定部材は、前記係止部を前記誘導部の一端部から他端部へ移動する移動機構を備え、前記係止部の移動により前記挿入可能状態と前記挿入禁止状態とに変化可能であることとしたことにより、遊技盤の挿入部を小さく構成することが可能となる。
【発明を実施するための最良の形態】
【００２６】
以下添付の図面に基づき本発明の好適な実施形態を説明する。図１は本発明の第１実施例の遊技機について遊技盤の釘を省略して示す正面図、図２は同遊技機の背面図、図３は同遊技機の前面枠体、遊技盤、機構板及び側枠を示す斜視図、図４は同遊技機の前面枠体の正面図及び右側面図、図５は同遊技機の前面枠体の斜視図、図６は同遊技機の遊技盤を示す斜視図、図７は同遊技機の遊技盤固定部材の分解斜視図、図８は同遊技機の遊技盤挿入時を示す図、図９は同遊技機の遊技盤挿入固定時について図４のＡ−Ａ断面で示す図、図１０は同遊技機の遊技盤固定解除取り外し時を示す図、図１１は第２実施例の遊技機における遊技盤挿入収納時を示す図、図１２は同遊技機の遊技盤挿入固定時について図４のＡ−Ａ断面と同一位置で示す図、図１３は同第２実施例の遊技機における遊技盤固定解除取り外し時を示す図、図１４は同第２実施例の遊技機における遊技盤固定部材の分解斜視図、図１５は同遊技盤固定部材における係止部のスライド状態を示す斜視図である。
【００２７】
図１及び図２に示す遊技機１は、遊技媒体として遊技球を用いるパチンコ遊技機であって、図３にも示すように、側枠（木枠とも称される）Ｆ１の一側に合成樹脂製の前面枠体Ｆ２が開閉自在に軸支され、前面枠体Ｆ２内に設けられた遊技盤の収納部２０１に遊技盤３が着脱可能に取り付けられ、また前記遊技盤３の背面には機構板７が開閉係脱可能に取り付けられている。前面枠体Ｆ２の前面には一側にガラス枠Ｇがヒンジで開閉可能に軸支されている。前面枠体Ｆ２には、前記側枠Ｆ１との鍵装置Ｋ１とガラス枠Ｇとの係合部Ｋ３を有する係合部材８が設けられ、前記鍵装置Ｋ１の解除によって前記側枠Ｆ１に対し前面枠体Ｆ２が開き、また前記係合部Ｋ３の係合解除によって前面枠体Ｆ２に対しガラス枠Ｇが開く。なお、この例の遊技機１は、プリペイドカードユニット５６が接続されている。
【００２８】
前記側枠Ｆ１は、木製板材で枠組みされると共に、一側の上下に軸支部材Ｊ１が取り付けられ、前記軸支部材Ｊ１に前記前面枠体Ｆ２が開閉可能に軸支される。前記側枠Ｆ１の開放側の内側上下に前記鍵装置Ｋ１と係合して前面枠体Ｆ２を開閉するための係止金具Ｋ２が取り付けられている。前記木製の側枠Ｆ１は、パチンコ機の保管、輸送時に側枠Ｆ１部分を主として取り扱うようにされることで前面枠体Ｆ２を物理的損傷から保護するように構成されている。
【００２９】
前記前面枠体Ｆ２は、本発明における枠体に相当する。前記前面枠体Ｆ２について、図３ないし図５を用いて説明する。前面枠体Ｆ２は、前記側枠Ｆ１の外周と略同サイズの外周からなって、内部に遊技盤３の収納部２０１を有する。前記収納部２０１は、本実施例では、前面枠体Ｆ２の後面（遊技機１の後面側と同側の面）Ｆ２ｒ側に略四角形の枠状に立設された遊技盤収納壁２０２で包囲される部分で構成されている。前記遊技盤収納壁２０２で包囲された遊技盤の収納部２０１には、前面枠体Ｆ２の前面（遊技機１の前面側と同側の面）Ｆ２ｆと後面Ｆ２ｒ間を貫通して前記遊技盤３の側部外縁より大きく形成された略四角形の開口部２０３が設けられ、前面枠体Ｆ２の前面Ｆ２ｆ及び後面Ｆ２ｒ側の何れの任意の方向からでも、前記遊技盤３を開口部２０３から前面枠体Ｆ２内に挿入可能とされている。そして、前記開口部２０３から遊技盤３を前面枠体Ｆ２内に挿入することにより遊技盤３が前記収納部２０１に収納状態とされる。
【００３０】
前記遊技盤収納壁２０２は、上部壁２０２ａ、左右の側部壁２０２ｂ及び下部壁２０２ｃで構成され、本実施例では左右の対向する側部壁２０２ｂには、図５及び図７乃至図１０に示すように、それぞれ左右の上下２箇所の合計４箇所に遊技盤固定部材挿入穴２０５が形成されると共に、前記遊技盤固定部材挿入穴２０５と連通する筒部２０６が前記収納部２０１とは反対の外面に突出形成されている。前記筒部２０６は、内径が前記遊技盤固定部材挿入穴２０５と同径とされると共に、先端面２０７を備え、前記先端面２０７の中心に前記遊技盤固定部材挿入穴２０５より小径の軸挿通孔２０８が形成されている。また、前記筒部２０６の周壁には、前面枠体Ｆ２の前方側（遊技機の前面側）部分に遊技盤固定部材の歯車露出用開口２０９が形成されている。
【００３１】
前記遊技盤固定部材２１０は、前記４箇所の遊技盤固定部材挿入穴２０５に取り付けられている。前記遊技盤固定部材２１０は、前記遊技盤固定部材挿入穴２０５の軸挿通孔２０８に挿入可能な径の回動軸２１１を有し、前記回動軸２１１の基部側には、前記遊技盤固定部材挿入穴２０５に収容可能で、かつ前記軸部挿通孔２０８を通過不可能な大きさの円盤状からなる固定部２１２が形成され、前記固定部２１２の外面に係止部材２１９がビスで固定されている。前記回動軸２１１は本発明の回動部に相当し、該回動軸２１１の外周に歯車２１５が形成されている。本実施例では、前記遊技盤固定部材挿入穴２０５の前記軸挿通孔２０８に回動軸２１１を挿通し、前記筒部２０６内に歯車２１５を位置させた際に、前記歯車２１５の一部が前記筒部２０６の歯車露出用開口２０９から露出すると共に、前記係止部材２１９が収納部２０１の側方から収納部２０１内に突出し、さらに前記回動軸２１１の先端が前記筒部２０６の先端面２０７から突出した状態となる。前記回動軸２１１の先端側にはリング固定溝２１６が形成され、前記遊技盤固定部材挿入穴２０５の軸挿通孔２０８から回動軸２１１が抜けるのを防止するＣリング２１７が、前記リング固定溝２１６に嵌着される。
【００３２】
前記係止部材２１９は、図示の例では金属製平板を略Ｖ字形に折り曲げたものであって、折り曲げ部２１９ａの一側が前記固定部２１２への取付部２２０、他側が前記取付部２２０に対して所定角度の傾斜面からなる誘導部２２１を構成し、さらに前記誘導部２２１の一端側の先端が係止部２２２を構成している。前記係止部材２１９は、前記取付部２２０と前記誘導部２２１間にバネ弾性を有し、そのバネ弾性により、前記誘導部２２１と係止部２２２が常には遊技機正面から見て前記収納部２０１の側方から収納部２０１内に突出するように付勢され、また後述の遊技盤３の側部３１で誘導部２２１が押圧されることによって収納部２０１から後退可能となっている。前記折り曲げ部２１９ａは可変部に相当する。さらに前記係止部材２１９の係止部２２２は、後述する遊技盤３の遊技盤固定部材挿入凹部３０内で回転し易いように、先端が円弧状に丸くされている。
【００３３】
また、前記前面枠体Ｆ２は、前記遊技盤固定部材２１０の歯車２１５が位置する側、本実施例では側部壁２０２ｂの外側面に沿ってラック部材取付溝２２３が形成され、前記ラック部材取付溝２２３にラック部材２３０がそれぞれ独自に上下スライド可能に取り付けられている。前記ラック部材２３０は、前記筒部２０６の周壁から露出している遊技盤固定部材２１０の歯車２１５と噛み合う歯２３１を備え、上下にスライドすることによって前記遊技盤固定部材２１０の歯車２１５が回転し、それにより前記回動軸２１１及び固定部２１２を介して前記係止部材２１９が回動する。前記各ラック部材２３０は、それぞれ前面枠体Ｆ２の前面Ｆ２ｆ側と後面Ｆ２ｒ側に突出した操作部２３２，２３２を備え、前面枠体Ｆ２の前面Ｆ２ｆ側及び後面Ｆ２ｒ側の任意の側から操作部２３２を上下することにより操作可能とされている。本実施例では、前記操作部２３２は摘み部で構成されている。
【００３４】
前記操作部２３２が位置する付近には、前記誘導部２２１が前記開口部２０３の前面側（前面枠体Ｆ２の前面Ｆ２ｆ側）に位置することになる操作部２３２の位置を示す「前」の印と、前記係止部材２１９の誘導部２２１が前記開口部２０３の後面側（前面枠体Ｆ２の後面Ｆ２ｒ側）に位置することになる操作部２３２の位置を示す「後」の印が表示されている。例えば、前記前記遊技盤３を前面枠体Ｆ２の後面側Ｆ２ｒから開口部２０３へ挿入して収納部２０１へ収納する場合には、全ての操作部２０２を「後」の位置にして、全ての遊技盤固定部材２１０における前記係止部材２１９の誘導部２２１を、遊技盤挿入側である開口部２０３の後面側（前面枠体Ｆ２の後面Ｆ２ｒ側）に位置する挿入可能状態にする。この時、前記係止部材２１９の係止部２２２は、前記誘導部２２１とは反対側の開口部２０３の前面側（前面枠体Ｆ２の前面Ｆ２ｆ側）に位置する。また、その状態で、前記遊技盤３を収納部２０１へ収納し、４箇所の前記遊技盤固定部材２１０のうち前記開口部２０３の略対角位置に位置する１組の遊技盤固定部材２１０、例えば図４に示す左下の遊技盤固定部材２１０ｂに対するラック部材の操作部２３２ｂと右上の遊技盤固定部材２１０ｃに対するラック部材の操作部２３２ｃを「前」の位置にして、左下と右上の遊技盤固定部材２１０ｂ，２１０ｃの前記誘導部２２１を、前記挿入可能状態とは反対側となる開口部２０３の前面側（前面枠体Ｆ２の前面Ｆ２ｆ側）に位置させれば、前記遊技盤３を収納部２０１へ固定することができる。このとき、他の略対角位置に位置する１組の遊技盤固定部材２１０、すなわち左上の遊技盤固定部材２１０ａと右下の遊技盤固定部材２１０ｄに対する操作部２３２ａ，２３２ｄについては「後」の位置にされている。ここでは、４箇所の遊技盤固定部材をそれぞれ頂点とした四角形として見た時に四角形の対角に位置する遊技盤固定部材の位置関係を略対角位置としている。遊技盤を挿入した後で略対角位置にある１組の遊技盤固定部材を挿入可能状態とは反対側となるようにすることで遊技盤の上方も下方も均等に固定することが可能となる。なお、遊技盤３の着脱時における遊技盤固定部材２１０の作動については、後に詳細に説明する。
【００３５】
また、前面枠体Ｆ２の前面Ｆ２ｆ側に取り付けられるガラス枠Ｇには、図１に示すように、枠飾り右ランプ３５ａ、枠飾り上ランプ３５ｂ及び枠飾り左ランプ３５ｃが上部に設けられ、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技盤３の遊技領域６に向けて弾発発射する発射装置５３等が下部に組み付けられている。
【００３６】
前記遊技盤３は、図１に示すように、前面側における遊技盤３の縁に遊技球の外側ガイドレール４及び内側ガイドレール５が略円形に立設され、前記内側ガイドレール５によって囲まれた遊技領域６の中心線上にその上部から下部に向かって順に液晶，ドットマトリックス若しくはＬＥＤ表示装置等からなる表示装置９、始動入賞口１０、特別電動役物である大入賞口１５、アウト口１７が配設されている。また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。符号２２ａ，２２ｂは風車である。なお、本実施例における前記表示装置９は、左下に普通図柄の変動及び停止表示を行う普通図柄表示部４５が組み込まれ、その他の大部分が特別図柄の変動及び停止表示を行う特別図柄表示部４２となっている。
【００３７】
また、前記遊技盤３は、図３及び図６に示すように、前記前面枠体Ｆ２の遊技盤固定部材２１０と対応する側部３１の位置、本実施例では左右の側部上下に、遊技盤固定部材挿入凹部３０が合計４個形成されている。前記遊技盤固定部材挿入凹部３０は、前記前面枠体Ｆ２における遊技盤の収納部２０１に前記遊技盤３が収納された遊技盤収納状態時に、前記遊技盤固定部材２１０の係止部材２１９が挿入可能であり、回動可能な大きさとされ、本実施例では上下方向の長穴で形成されている。
【００３８】
前記遊技盤３を前記前面枠体Ｆ２へ取り付ける際には、まず、全ラック部材２３０をスライドさせて、図８の８−Ａ及び図９の９−Ａのように、全ての遊技盤固定部材２１０を遊技盤３の挿入方向にあわせて挿入可能状態にする。例えば、開口部２０３の後面側（前面枠体Ｆ２の後面Ｆ２ｒ側）から遊技盤３を前面枠体Ｆ２内に挿入して前記収納部２０１に収納固定する場合には、全ての操作部２３２を前記「後」の位置にスライドさせることにより、全ての遊技盤固定部材２１０について、係止部材２１９の誘導部２２１を、前記収納部２０１への遊技盤挿入方向である前面枠体Ｆ２の後面Ｆ２ｒ側からの方向に合わせて開口部２０３の後面側（遊技盤挿入側）に位置させ、前記係止部２２２が誘導部２２１とは反対側に位置する挿入可能状態にする。その状態で、図８の８−Ｂのように、前記遊技盤３を開口部２０３の後面側から前記枠体Ｆ２内に挿入し前記収納部２０１へ収納する。その際、前記誘導部２２１が前記遊技盤３の側部３１と接触して押されることにより、前記係止部２２２は、遊技盤固定部材２１０が設けられている側、本実施例では前面枠体Ｆ２の遊技盤収納壁２０２の側部壁２０２ｂ側へ後退して前記収納部２０１からも後退（外方へ移動）し、前記収納部２０１への遊技盤３の収納を可能にする。さらに前記遊技盤３が挿入されると、図８の８−Ｃ及び図９の９−Ｂに示すように、前記誘導部２２１及び係止部２２２が前記遊技盤３の遊技盤固定部材挿入凹部３０に挿入され、前記遊技盤３の挿入が完了し、前記収納部２０１に対して遊技盤３が収納状態となる。
【００３９】
前記収納状態で、前記４個の前記遊技盤固定部材２１０のうち前記開口部２０３の略対角位置に位置する１組の遊技盤固定部材、例えば図４に示す左下の遊技盤固定部材２１０ｂに対するラック部材の操作部２３２ｂと図４及び図９に示す右上の遊技盤固定部材２１０ｃに対するラック部材の操作部２３２ｃを「前」の位置にして、左下と右上の遊技盤固定部材２１０ｂ，２１０ｃの誘導部２２１を、前記挿入可能状態とは反対側となる開口部２０３の前面側（前面枠体Ｆ２の後面Ｆ２ｒ側）に位置する挿入禁止状態とする。このとき、他の略対角位置に位置する１組の遊技盤固定部材２１０、すなわち左上の遊技盤固定部材２１０ａと右下の遊技盤固定部材２１０ｄに対する操作部２３２ａ，２３２ｄについては「後」の位置にあって、左上の遊技盤固定部材２１０ａと右下の遊技盤固定部材２１０ｄが前記挿入可能状態にある。これによって、前記遊技盤固定部材２１０は、前記遊技盤３が前面枠体Ｆ２の前面方向へ移動するのを前記挿入禁止状態にある左下と右上の遊技盤固定部材２１０ｂと２１０ｃの係止部２２２が、前記遊技盤３の移動時に遊技盤固定部材挿入凹部３０の内壁と衝突することによって規制すると共に、前記遊技盤３が前面枠体Ｆ２の後面方向へ移動するのを前記挿入可能状態にある左上と右下の遊技盤固定部材２１０ａと２１０ｄの係止部２２２が、前記遊技盤３の移動時に遊技盤固定部材挿入凹部３０の内壁と衝突することによって規制する固定状態となる。
【００４０】
それに対して、前記前面枠体Ｆ２の収納部２０１に固定状態とされている遊技盤３を前面枠体Ｆ２から取り外す際は、まず全ての遊技盤固定部材２１０について、遊技盤３の取り外し方向、すなわち前面枠体Ｆ２における前面Ｆ２ｆ方向あるいは後面Ｆ２ｒ方向の何れか任意の方向について、前記遊技盤３の移動規制を解除する固定解除状態にする。前記固定解除状態は、遊技盤３の取り外し方向へ前記誘導部２２１を位置させた状態である。例えば、前面枠体Ｆ２における後面Ｆ２ｒ側（前記開口部２０３の後面側）から遊技盤３を取り外す場合には、まず、全ての前記操作部２３２を「前」の位置にすることにより、全ての遊技盤固定部材２１０について、図１０の１０−Ａのように、前記誘導部２２１を前面枠体Ｆ２における前面Ｆ２ｆ側（前記開口部２０３の前面側）に位置させると共に、前記係止部２２２を前記誘導部２２１とは反対の前面枠体Ｆ２における後面Ｆ２ｒ側（前記開口部２０３の後面側）に位置させて、遊技盤３の取り外し方向に対して固定解除状態とする。その状態で、図１０の１０−Ｂに示すように、遊技盤３を前面枠体Ｆ３の後方（背面方向）へ引く。その際、前記誘導部２２１が前記遊技盤３の側部３１と接触して押されることにより、前記係止部２２２は、遊技盤固定部材２１０が設けられている側、本実施例では前面枠体Ｆ２の遊技盤収納壁２０２の側部壁２０２ｂ側へ後退して前記収納部２０１からも後退（外方へ移動）し、前面枠体Ｆ２の後方（背面方向）への遊技盤３の移動を可能にする。そして、その状態でさらに遊技盤３を後方（背面方向）へ引けば、図１０の１０−Ｃのように、前記係止部２２２が前記遊技盤固定部材挿入凹部３０から外れ、それによって前記遊技盤３が前面枠体Ｆ２の収納部２０１から取り外される。
【００４１】
前記機構板７には、遊技機１における遊技を制御する各種基板や装置等が、主に背面側に設けられる。図２の遊技機の背面面には、前記基板や装置の主なものとして、受電基板１００、電源基板１１０、主制御基板１２０、表示制御基板１３０、払出制御基板１４０、音声制御基板１５０、ランプ制御基板１６０、発射制御基板１７０等が示されている。符号１８１は払出装置（賞球払出装置と貸球払出装置）、１８３は球無しスイッチ基板（賞球・球貸し兼用）、１８５は払出中継基板、１８９は球貯留タンク、１９１は球誘導樋を示す。
【００４２】
ここで、前記遊技機１における遊技を簡単に説明する。前記遊技機１においては、前記発射装置５３により遊技領域６へ向けて発射された遊技球が、前記遊技領域６を流下して種々の入賞口に入賞すると所定数の遊技球が賞品球として払出装置１８１から上側球受け皿３６に払い出される。また、前記普通図柄変動開始用左ゲート１９及び普通図柄変動開始用右ゲート２１を遊技球が通過して検出されると、主制御基板１２０へ検出信号が送られ、小当たり判定・普通図柄決定用乱数が取得される。そして、普通図柄の当たり（小当たり）判定が主制御基板１２０により行われると共に、前記普通図柄表示部４５で普通図柄の変動を開始し、所定時間変動後に停止する。その際、前記普通図柄の当たり判定結果が小当たりの場合には、小当たり普通図柄、この例では奇数で停止し、前記始動入賞口１０の可動片１０ａ，１０ｂが拡開して遊技球が入賞し易くなる。そして、前記始動入賞口１０に遊技球が入賞すると、所定数（この例では５個）の遊技球が賞品球として払い出される。
【００４３】
また、前記始動入賞口１０に遊技球が入賞して検出されると、主制御基板１２０へ検出信号が送られ、大当たり当否判定用乱数値及び大当たり図柄組合せ決定用乱数値が取得され、前記大当たり当否判定用乱数値に基づいて大当たりの当否判定が行われ、外れの場合には外れ確定特別図柄の組合せ決定用乱数数値が取得される。また、特別図柄の変動開始前に変動態様決定用乱数値が取得される。そして、取得された変動態様決定用乱数値に基づき決定された選択変動態様にしたがい前記特別図柄柄表示部４２で特別図柄が変動を開始し、所定時間経過後停止する。
【００４４】
前記特別図柄表示部４２で停止表示された確定特別図柄が、大当たり確定特別図柄組合せ、例えばぞろ目（‘７，７，７’のように同じ数字が並んだ状態）で停止表示されると、大当たりになり、遊技者に有利な特別遊技状態（大当たり遊技状態）に移行する。前記特別遊技状態になると、前記大入賞口１５の開閉板１６が開いて遊技領域６の表面を流下してくる遊技球を受け止め易くして大入賞口１５へ入賞可能にし、該大入賞口１５への入賞があると、所定数の遊技球が賞品球として払い出される。前記開閉板１６は、所定時間（例えば２９．５秒）経過後、或いは入賞球数が所定個数（例えば１０個）となった時点で閉じるようにされている。
【００４５】
前記大入賞口１５の開放中又は大入賞口１５が閉じてから約２秒以内に、前記大入賞口１５の特定領域入賞口５２に遊技球が入賞して入賞球が検出されると、前記大当たりを再度繰り返す継続権利が発生し、所定最高回数（例えば最高１６回）、前記開閉板１６の開放を繰り返す。なお、前記発射装置５３により遊技領域６へ向けて発射された遊技球が、入賞口の何処にも入賞しなければ前記アウト口１７から遊技盤３の裏側へ排出される。
【００４６】
図１１ないし図１３には、第２実施例の遊技機における遊技盤固定部材３００を示す。なお、図１２は、前記図４におけるＡ−Ａ線と同一位置での断面図である。この実施例の遊技盤固定部材３００は、前記遊技盤３の側部３１に、または図１１ないし図１３に示す前面枠体Ｆ２００の左右の側部壁Ｆ２０１に設けられる。図示の例では、第１実施例と同様に遊技盤３の側部３１に遊技盤固定部材挿入凹部３０が設けられ、前記遊技盤３の前面枠体Ｆ２００内への収納時に遊技盤３の遊技盤固定部材挿入凹部３０と対向する前面枠体Ｆ２００の左右の側部壁Ｆ２０１の上下計４箇所に、遊技盤固定部材取付穴Ｆ２０２が形成され、さらに前記遊技盤固定部材取付穴Ｆ２０２に埋設された誘導部収納ボックス３５０に遊技盤固定部材３００が取り付けられている。以下の説明おいて、前記遊技盤固定部材３００は、前面枠体Ｆ２００における位置を含めて記載する場合には、左上位置の遊技盤固定部材３００ａ、左下位置の遊技盤固定部材３００ｂ、右上位置の遊技盤固定部材３００ｃ、右下位置の遊技盤固定部材３００ｄと区別して示す。なお、前記左上位置の遊技盤固定部材３００ａ、左下位置の遊技盤固定部材３００ｂ、右上位置の遊技盤固定部材３００ｃ、右下位置の遊技盤固定部材３００ｄのうち、一部の遊技盤固定部材については図示を省略した。
【００４７】
前記前面枠体Ｆ２００は、第１実施例の前面枠体Ｆ２と同様の構成からなるもので、遊技盤の収納部Ｆ２０５を備え、前記収納部Ｆ２０５には前面枠体Ｆ２００の前面と後面間を貫通した開口部Ｆ２０４が形成され、前面枠体Ｆ２００の前面側及び後面側の何れか任意の一方から前記開口部Ｆ２０４へ遊技盤３を挿入可能とし、収納部Ｆ２０５に収納可能とされている。
【００４８】
前記遊技盤固定部材３００は、図１４及び図１５に示すように、前面枠体Ｆ２００の前後方向と対応する面が斜面の誘導部３０２となった山形状の基体３０１と、前記基体３０１における２つの誘導部３０２のうち１方（３０２ａまたは３０２ｂ）を隠蔽可能で、しかもスライドによって他方の誘導部を隠蔽することが可能な断面コ字形状の係止部３０５とを備える。前記係止部３０５の基部３０５ａは内側に爪状に折れ曲がり、係止部３０５が前記基体３０１から外れることなくスライド可能にする。前記係止部３０５の基部３０５ａ外面にはラック部材３０６が前記スライド方向に沿って設けられている。前記基体３０１は、前面枠体Ｆ２００の側部壁Ｆ２０１における前記遊技盤固定部材取付穴Ｆ２０２の誘導部収納ボックス３５０に、弾性ユニット３６０を介して取り付けられる。
【００４９】
前記誘導部収納ボックス３５０は前記前面枠体Ｆ２００の開口部Ｆ２０４側が開口した箱状からなって上下の壁面にスライド用ラック部材挿通窓３５１が形成されている。一方、前記弾性ユニット３６０は、前記基体３０５のラック部材３０６と噛み合ってラックアンドピニオン構造を構成する歯車３６１と、前記歯車３６１が回転可能に取り付けられて前面枠体Ｆ２００の前後方向に対して前進後退可能とされた保持台３６２と、前記保持台３６２に取り付けられる前記基体３０１及び係止部３０５を、前面枠体Ｆ２００の左右の側部壁Ｆ２０１から突出させて、常に収納部Ｆ２０５内へ突出するように付勢するスプリング３６３を有する。また、前記歯車３６１に噛み合って該歯車３６１を回転させ、前記係止部３０５を一方の誘導部側から他方の誘導部側へスライドさせるスライド用ラック部材３６５が設けられ、さらに前記スライド用ラック部材３６５には、前面枠体Ｆ２００の前面側及び後面側に突出する操作部３６６が設けられ、前面枠体Ｆ２００の前面側及び後面側の何れか任意の側からスライド用ラック部材３６５が操作可能とされ、該操作によって前記係止部３０５をスライドさせることができるように構成されている。なお、前記ラック部材３０６と前記歯車３６１は、前記誘導部の一端部から他端部へ係止部を移動する移動機構に相当する。なお、前記スプリング３６３は、前記収納部Ｆ２０５内に突出している係止部３０５と誘導部３０２を共に収納部Ｆ２０５から後退可能にする可変部にも相当する。
【００５０】
前記第２実施例において前記遊技盤３を取り付ける際には、まず全ての遊技盤固定部材３００について遊技盤３の挿入方向に合わせて挿入可能状態にする。例えば、開口部Ｆ２０４の後面側から遊技盤３を前面枠体Ｆ２００内に挿入して前記収納部Ｆ２０５に収納固定する場合には、全ての遊技盤固定部材３００について、図１１の１１−Ａ、図１２の１２−Ａ及び図１５の１５−Ａに示すように、前記係止部３０５を前面枠体Ｆ２００の遊技盤挿入側とは反対側（前面枠体Ｆ２００の前面Ｆ２００ｆ側）へスライドさせて、遊技盤挿入側（前面枠体の後面Ｆ２００ｒ）側の誘導部３０２ａを露出させ、これにより、遊技盤挿入側である前記開口部Ｆ２０４の後面（前面枠体の後面Ｆ２００ｒ）側に誘導部３０２ａが位置し、反対側（前面枠体Ｆ２００の前面側Ｆ２００ｆ）に係止部３０５が位置する挿入可能状態とする。前記挿入可能状態で、図１１の１１−Ｂのように遊技盤３を開口部Ｆ２０４の後面側から収納部Ｆ２０５に挿入する。その際、前記遊技盤固定部材３００は、前記誘導部３０２ａが遊技盤３の側部３１によって押されることにより前面枠体Ｆ２００の側部壁Ｆ２０１側へ後退し、それによって収納部Ｆ２０５から後退し、前記遊技盤３を収納部Ｆ２０５へ収納可能にする。そして、前記開口部Ｆ２０４からの遊技盤３の挿入が完了して遊技盤３が前記収納部Ｆ２０５に収納されると、図１１の１１−Ｃ及び図１２の１２−Ｂに示すように、遊技盤３の遊技盤固定部材挿入凹部３０に前記遊技盤固定部材３００の係止部３０５及び基体３０１が挿入され、前記収納部Ｆ２０５に対して遊技盤３が収納状態となる。
【００５１】
前記収納状態で、前記４箇所の前記遊技盤固定部材３００のうち、前記開口部２０３の略対角位置に位置する１組の遊技盤固定部材、例えば左下位置の遊技盤固定部材３００ｃ
と右上位置の遊技盤固定部材３００ｄについて、前記操作部３６６を操作して、図１５の１５−Ｂに示すように、前記挿入可能状態とは反対位置（この例では前面枠体Ｆ２００の後面Ｆ２００ｒ側）に係止部３０５をスライドさせ、挿入禁止状態とする。これによって、左下位置の遊技盤固定部材３００ｃ及び右上位置の遊技盤固定部材３００ｄについては、前記係止部３０５が開口部２０４の後面側（前面枠体Ｆ２００の後面Ｆ２００ｒ側）に位置し、開口部２０４の前面側（前面枠体Ｆ２００の前面Ｆ２００ｆ側）で誘導部３０２ｂが露出して位置することになる。またこの時、他の一組の遊技盤固定部材、すなわち左上位置の遊技盤固定部材３００ａと右下位置の遊技盤固定部材３００ｃについては、前記挿入可能状態時と同様に係止部３０５が開口部２０４の前面側（前面枠体Ｆ２００の前面Ｆ２００ｆ側）に位置し、これによって、図１２の１２−Ｃに示す固定完了状態（固定状態）となる。この固定状態時、前記遊技盤３が前面枠体Ｆ２００の前面方向へ移動しようとすると、前記挿入禁止状態にある左下位置の遊技盤固定部材３００ｂと右上位置の遊技盤固定部材３００ｃの係止部３０５の後端３０５ｄが、前記遊技盤固定部材挿入凹部３０の内壁と衝突することによって、遊技盤３の移動が規制され、一方、前記遊技盤３が前面枠体Ｆ２００の後面方向へ移動しようとすると、前記挿入可能状態にある左上位置の遊技盤固定部材３００ａと右下位置の遊技盤固定部材３００ｄの係止部３０５の前端３０５ｃが、前記遊技盤固定部材挿入凹部３０の内壁と衝突することによって、遊技盤３移動が規制され、遊技盤３が固定状態とされる。
【００５２】
前記収納部Ｆ２０５に収納固定状態にある遊技盤３を取り外す際には、まず、全ての遊技盤固定部材３００について、遊技盤３００の取り外し方向、すなわち前面枠体Ｆ２００の前面Ｆ２００ｆ方向あるいは後面Ｆ２００ｒ方向の何れか任意の方向について、遊技盤３の移動規制を解除する固定解除状態にする。前記固定解除状態は、遊技盤３の取り外し方向へ前記係止部３０５を移動させ、前記係止部３０５とは反対側の誘導部３０２を露出させて取り外し方向とは反対側へ位置させた状態である。例えば、前面枠体Ｆ２００における後面Ｆ２００ｒ側から遊技盤３を取り外す場合には、まず全ての遊技盤固定部材３００について、図１３の１３−Ａ及び図１５の１５−Ｂに示すように、前記係止部３０５を前面枠体Ｆ２００の遊技盤取り外し側（前面枠体Ｆ２００の後面Ｆ２００ｒ側）へスライドさせて、遊技盤取り外し側とは反対側（前面枠体Ｆ２００の前面Ｆ２００ｆ側）の誘導部３０２ｂを露出させ、これにより、遊技盤取り外し側と反対側である前面枠体Ｆ２００の前面側Ｆ２００ｆ（前記開口部Ｆ２０４の前面側）に誘導部３０２ｂが位置し、反対側の前面枠体Ｆ２００の後面側Ｆ２００ｒ（前記開口部Ｆ２０４の後面側）に係止部３０５が位置する固定解除状態とする。その状態で、図１３の１３−Ｂのように遊技盤３を取り外し方向の前面枠体Ｆ２００後方へ引っ張る。その際、前記遊技盤固定部材３００は、前記誘導部３０２ｂが遊技盤３の側部３１によって押されることにより前面枠体Ｆ２００の側部壁２０１側へ後退して収納部Ｆ２０５からも後退し、前記収納部Ｆ２０５からの遊技盤３の取り外しを可能にする。さらに遊技盤３を取り外し方向の前面枠体Ｆ２００後方へ引っ張れば、図１３の１３−Ｃに示すように前記遊技盤固定部材３００が遊技盤固定部材挿入凹部３０から抜け、前記収納部Ｆ２０５から遊技盤３が外れる。
【００５３】
なお、前記固定状態時に前記係止部３０５をロックしてスライドを阻止するために、前記歯車３１０の動きを機械的に止めるピン部材を歯車３６１とラック部材３０６間に挿入するロック機構を設けてもよい。そうすることで、前記係止部３０５を完全にロックすることが可能となり、より強固に遊技盤を収納部に固定することができる。また、第１実施例のように、スライド用ラック部材の操作部付近の前面枠に現在の誘導部もしくは係止部の位置が分かるような印をつけて操作性を向上させてもよい。
【００５４】
本発明は、このように遊技機を構成したことで、前面枠体の前後何れか任意の側から遊技盤を着脱することが可能となり、遊技盤の着脱作業を容易にすることが可能になったのである。
【００５５】
なお、本発明は前記実施例に限定されるものではなく、本発明の趣旨を逸脱しない範囲で変更することが可能である。例えば、前記実施例では、遊技盤の着脱を、前面枠体の後面側から行う場合を示したが、遊技盤の取り付けと取り外しをそれぞれ前面枠体の異なる側から行うようにしたり、遊技盤の取り付け及び取り外しを何れも前面枠体の前面側から行うようにしたりしてもよく、作業性等により任意に選択されればよい。また、遊技盤固定部材挿入凹部は遊技盤の側部に直接形成したが、別部品として遊技盤の側部に取り付けてもよい。さらに、遊技盤固定部材は４個（４箇所）に限られるものではなく、それ以上としてもよい。また、前記各実施例では、遊技盤に遊技盤固定部材挿入凹部を設け、前面枠体に遊技盤固定部材を設けた構成としたが、遊技盤に遊技盤固定部材を設け、前面枠体に遊技盤固定部材挿入凹部を設けてもよい。
【図面の簡単な説明】
【００５６】
【図１】本発明の第１実施例の遊技機について遊技盤の釘を省略して示す正面図である。
【図２】同遊技機の背面図である。
【図３】同遊技機の前面枠体、遊技盤、機構板及び側枠を示す斜視図である。
【図４】同遊技機の前面枠体の正面図及び右側面図である。
【図５】同遊技機の前面枠体を示す斜視図である。
【図６】同遊技機の遊技盤を示す斜視図である。
【図７】同遊技機の遊技盤固定部材の分解斜視図である。
【図８】同遊技機の遊技盤挿入時を示す図である。
【図９】同遊技機の遊技盤挿入固定時について図４のＡ−Ａ断面を示す図である。
【図１０】同遊技機の遊技盤固定解除取り外し時を示す図である。
【図１１】第２実施例の遊技機における遊技盤挿入収納時を示す図である。
【図１２】同遊技機の遊技盤挿入固定時について図４のＡ−Ａ断面と同一位置での断面を示す図である。
【図１３】同第２実施例の遊技機における遊技盤固定解除取り外し時を示す図である。
【図１４】同第２実施例の遊技機における遊技盤固定部材の分解斜視図である。
【図１５】同遊技盤固定部材における係止部のスライド状態を示す斜視図である。
【符号の説明】
【００５７】
１  遊技機
３  遊技盤
６  遊技領域
９  表示装置
３０  遊技盤固定部材挿入凹部
２０１  収納部
２０２  遊技盤収納壁
２１０  遊技盤固定部材
２２１  誘導部
２２２  係止部
Ｆ１  側枠
Ｆ２  前面枠体（本発明の枠体）
【図１】
2006095126.tif 000003
【図２】
2006095126.tif 000004
【図３】
2006095126.tif 000005
【図４】
2006095126.tif 000006
【図５】
2006095126.tif 000007
【図６】
2006095126.tif 000008
【図７】
2006095126.tif 000009
【図８】
2006095126.tif 000010
【図９】
2006095126.tif 000011
【図１０】
2006095126.tif 000012
【図１１】
2006095126.tif 000013
【図１２】
2006095126.tif 000014
【図１３】
2006095126.tif 000015
【図１４】
2006095126.tif 000016
【図１５】
2006095126.tif 000017